(57)【特許請求の範囲】
【請求項１】
一直線上に並ぶ入口と出口を備えた流路の中間部分に隘路を有し、被処理水を通す通水路に組み込まれるエジェクタと、
該エジェクタと平行又は直交するように並べられ、紫外線ランプを内蔵するオゾン発生器を備えるとともに、
これらエジェクタとオゾン発生器とを、前記オゾン発生器内の雰囲気がエジェクタの隘路に設けられた吸気口から吸引されるように直線状の接続管部でエジェクタに直交する方向から接続し、
前記オゾン発生器が、前記紫外線ランプを覆い当該オゾン水生成器の設置箇所の雰囲気に触れるように露出する着脱可能なカバーを有するとともに、
該カバーが内外の通気を可能にする通気孔を有するものである
オゾン水生成器。
【請求項２】
前記通水路が下から上に向けて被処理水を流すものである
請求項１に記載のオゾン水生成器。
【請求項３】
前記エジェクタの両端部に、トイレの給水管に組み込むための接続部を備えた
請求項１または請求項２に記載のオゾン水生成器。
【請求項４】
前記給水管が洗浄便座に水を供給するためのものである
請求項３に記載のオゾン水生成器。
【発明の詳細な説明】
【技術分野】
【０００１】
この発明は、たとえば殺菌洗浄に好適なオゾン水を生成するオゾン水生成器に関し、より詳しくは、より安価に製造でき、しかも小型かつシンプルな構造のオゾン水生成器に関する。
【背景技術】
【０００２】
オゾン水を生成する装置は、食品や手などの洗浄に用いられており、この装置として、たとえば下記特許文献１〜３に開示されているようなものが提案されている。
【０００３】
特許文献１に開示された装置は、コンパクトで効率よく殺菌水を生成するためのもので、オゾン発生体で生成されたオゾンを、エジェクタを利用して水に混合溶存させる構成である。混合効率を高めるためにエアーポンプなども備えられている。また、オゾン発生体には、放電式のものが用いられている。
【０００４】
しかし、この装置では、台所に設置できる大きさのものではあるが構造が複雑である。しかも、オゾン発生体が放電式なので、大きさが大きく、高価になってしまう。そのうえ放電式のオゾン発生体では、ＮＯＸが出るほかに、高温の環境下では放電しないという難点もある。
【０００５】
特許文献２に開示された発明は、オゾン発生装置の付いた便座であり、オゾン水で人体の局部を洗浄するためのものである。この装置は、オゾン発生装置で発生されたオゾンを、ロータンクに溜めた水の中に噴出させてオゾン水を生成し、このオゾン水を洗浄に用いようとするものである。
【０００６】
しかし、この装置も、オゾンの発生には放電を用いているので、上述の場合と同様の問題点がある。また、オゾン水はオゾンを水中に噴出させて生成するものであるので、オゾンの混合効率がよくない上に、ポンプ等の機器も必要になるという難点がある。
【０００７】
特許文献３に開示された発明は、オゾンを水に混合するための装置であって、オゾン発生体として紫外線ランプを用いている。紫外線ランプの周りに、水を流したときに真空状態が得られるようにする構造を設け、紫外線ランプの作用で発生したオゾンを、周囲を流れる水に混合しようとするものである。
【特許文献１】特開平１１−３４７５７５号公報
【特許文献２】特公平３−３２３６４号公報
【特許文献３】特公平６−２１００９号公報
【発明の開示】
【発明が解決しようとする課題】
【０００８】
この特許文献３に開示された装置によれば、オゾンを水に混合するのにポンプ等は不要であって、効率よく混合できる。しかし、紫外線ランプが通水路内にあるので、装置への水の入口と出口を一直線上にならべることができず、既存の給水管に組み込むことができないという難点がある。
【０００９】
そこで、この発明は、安価に製造できるとともに、装置の小型化、シンプル化を図れ、既存の給水管に対しても容易に取り付けられるようにすることを主たる目的とする。
【課題を解決するための手段】
【００１０】
そのための手段は、一直線上に並ぶ入口と出口を備えた流路の中間部分に隘路を有し、被処理水を通す通水路に組み込まれるエジェクタと、該エジェクタと平行又は直交するように並べられ、紫外線ランプを内蔵するオゾン発生器を備えるとともに、これらエジェクタとオゾン発生器とを、前記オゾン発生器内の雰囲気がエジェクタの隘路に設けられた吸気口から吸引されるように直線状の接続管部でエジェクタに直交する方向から接続し、前記オゾン発生器が、前記紫外線ランプを覆い当該オゾン水生成器の設置箇所の雰囲気に触れるように露出する着脱可能なカバーを有するとともに、該カバーが内外の通気を可能にする通気孔を有するオゾン水生成器である。
【００１１】
このオゾン水生成器は、トイレや流しの給水管などに組み込んで使用されたり、シンクの周りなどに設置して使用されたりする。給水管などに組み込むときには、エジェクタの両端を給水管に接続し、給水管に介装する。
【００１２】
被処理水がエジェクタ内を流れると、紫外線ランプの作用でオゾン発生器内に発生したオゾンが、接続管部を通ってエジェクタの吸気口から吸い込まれ、隘路部分で混合し、泡沫を有する処理水となる。処理水であるオゾン水は、所望の場所に導かれ、洗浄等に使用される。
【発明の効果】
【００１３】
以上のように、この発明によれば、オゾン発生体として紫外線ランプを用いているので、安価に製造できるとともに、装置の小型化を図ることができる。しかも、オゾン発生器は接続管部を介してエジェクタに付属させるような構成であるので、装置の構造を簡素にすることが可能である。また、エジェクタへの入口と出口を一直線上に並べることができるので、既存の給水管等への接続も可能で、用途の拡大を図ることもできる。
【発明を実施するための最良の形態】
【００１４】
この発明を実施するための一形態を、以下図面を用いて説明する。  
図１は、トイレの給水管に組み込んで使用されるオゾン水生成器１１の正面図である。
【００１５】
この図に示すように、オゾン水生成器１１は、通水路である給水管２１に組み込まれるエジェクタ（Ｉｎｊｅｃｔｏｒ）３１と、オゾンを発生するオゾン発生器４１と、これらを一体に接続する接続管部５１とからなる。
【００１６】
エジェクタ３１は、略円柱状をなし、流路の長さ方向の中間部分に隘路３２を有する。そして、この隘路３２部分には、吸気口３３が形成されている。また、両端部には、上記のトイレ用の給水管２１に接続される接続部３４，３４が形成されている。
【００１７】
オゾン発生器４１は、略円柱状をなし、中空の内部には紫外線ランプ４２と、インバータなどの必要な電気部品４３が収納されている。紫外線ランプ４２は、着脱可能なカバー４４で覆われ、このカバー４４の上面には、通気孔４４ａが形成され、通気性を有するように構成されている。このカバー４４は、オゾン水生成器１１の設置箇所であるトイレ空間の雰囲気に触れるように露出した状態で備えられる。
【００１８】
接続管部５１は、オゾン発生器４１の内部空間４５とエジェクタ３１の吸気口３３とを連通させる。つまり、エジェクタ３１内を水が通るときに、オゾン発生器４１の内部空間にある雰囲気（オゾン）が、エジェクタ３１内に吸い込まれるようにする。また、この接続管部５１の内部には、逆止弁５２が設けられ、エジェクタ３１内を通過する水がオゾン発生器４１の中に入るのを防止する。
【００１９】
上記のエジェクタ３１とオゾン発生器４１と接続管部５１は、エジェクタ３１とオゾン発生器４１が平行に並べられ、これらの長さ方向の中間部分を接続管部５１で接続するようにＨ型に組み立てられている。つまりエジェクタ３１内を下から上に向けて流れる水に対して、エジェクタ３１に直交する方向の接続管部５１からオゾンが供給される構成である。
【００２０】
このように構成されたオゾン水生成器１１は、給水管２１におけるタンク６１への分岐水栓６２と洗浄便座６３への分岐水栓６４との間に介装する。既存の給水管に取り付けることも、新規の給水管に取り付けることもできる。取り付けは、エジェクタ３１の両端の接続部３４，３４を各分岐水栓６２，６４の接続口に接続するだけでよく簡単である。
【００２１】
トイレの給水管２１に接続されたオゾン水生成器１１では、紫外線ランプ４２を点灯した状態で洗浄便座６３を使用すると、水が流れるときに、紫外線ランプ４２からの紫外線により発生したオゾンが、流れる水に溶け込んで、オゾン水が生成される。そして、このオゾン水が洗浄便座６３のノズル６３ａから噴出される。このように、下から上に向けて水を流しながら生成したオゾン水は、その効用を有する状態で即座に適用されるので、効率のよい、所望の洗浄効果を得られる。
【００２２】
また、紫外線ランプ４２を収容しているオゾン発生器４１は、トイレ空間内に露出しており、オゾン発生器４１のカバー４４には通気孔４４ａが形成されているので、オゾン発生器４１で発生するオゾンは、トイレ空間内の空気の消臭も行う。
【００２３】
このオゾン水生成器１１では、上述のようにオゾン発生体として紫外線ランプ４２を用いているので、安価に製造できる。また、オゾン発生器１１は接続管部５１を介してエジェクタ３１に付属させるような構成であり、３つの部分からなる簡素な構造であるので、装置の小型化、シンプル化を図ることもできる。加えて、オゾン発生器４１が独立したような構造であるので、紫外線ランプ４２の交換なども容易に行える。
【００２４】
さらに、エジェクタ３１への入口と出口を一直線上に並べているので、上述のように既存の給水管２１等への接続も可能で、トイレ以外の様々な部分に容易に使用でき、用途の拡大を図ることが可能である。
【００２５】
なお、図１には、オゾン水生成器１１を、給水管２１におけるタンク６１への分岐水栓６２と洗浄便座６３への分岐水栓６４との間に介装した例を示したが、タンクへ６１の分岐水栓６２と、給水管２１の一部としての止水栓２２との間に組み込むと、タンク６１へ供給される水も殺菌効果を有するオゾン水となる。この結果、雑菌の繁殖による臭いなども防止できる。
【００２６】
以下、その他の例について説明する。この説明において、先の説明と同一または同等の部位については同一の符号を付してその詳しい説明を省略する。
【００２７】
図２は、オゾン水成形器１１を横Ｔ型に構成した例を示す。  
すなわち、エジェクタ３１と、これに対して直交する方向に延びるオゾン発生器４１および連結管部５１とを有する。オゾン発生器４１と連結管部５１は一直線上に配設されている。また、オゾン発生器４１における紫外線ランプ４２を覆う部分であるカバー４４には、複数の通気孔４４ａ…が形成されている。
【００２８】
このように構成されたオゾン水生成器１１では、図１に示したオゾン水生成器１１と同様の作用効果を達成する。横Ｔ型をなすので、給水管２１の側部において縦方向の長さを十分に取れない場所での使用に適している。
【００２９】
図３は、シンクの周辺部分などの小空間に設置して使用するオゾン水生成器１１の例を示す。
【００３０】
このオゾン水生成器１１は、土台部７１と、この土台部７１の上面側を覆う被覆体７２からなるケーシング７３と、上記の土台部７１に設けられたエジェクタ３１、オゾン発生器４１および接続管部５１を有する。
【００３１】
エジェクタ３１は土台部７１に立設された隔離板７４の片面側に固定され、下端には水道の蛇口等に接続される通水路の一部としての導入管２３を接続し、上端には処理水を吐出する通水路の一部としての吐水管２４を接続している。そして、隔離板７４の他面側には、オゾン発生器４１が固定されている。オゾン発生器４１のほかにインバータなどの必要な電気部品４３も取り付けられる。
【００３２】
このように構成されたオゾン水生成器１１では、紫外線ランプ４２を点灯した状態で水道を開くことによって、水道水が導入管２３からエジェクタ３１に入り、オゾンを混合してオゾン水を生成し、このオゾン水は吐出管２４から排出され、手や食品などの洗浄等に使用される。
【００３３】
部品点数が少なく、構造が簡素であるため、これまでのオゾン水生成器に比べて小さくすることができ、場所をとらず、使いやすいものとなる。なお、シンクの下の空間等に設置することもできる。
【００３４】
この発明の構成と上述の一形態の構成との対応において、  
この発明の通水路は、上記の給水管に対応するも、  
この発明は、上述の構成のみに限定されるものではなく、その他の構成を採用することもできる。
【００３５】
たとえば、図３に示したような設置型のオゾン水生成器に対して、図１や図２に示したＨ型や横Ｔ型に構成したものを組み込んで構成することもできる。  
また、入浴や養魚など、洗浄のほかの用途に用いることもできる。  
さらに、インバータなどの必要な電気部品４３の一部または全部をオゾン発生器４１から分離させて備えれば、図１、図２に示したようなオゾン生成器１１をより一層コンパクトにすることができる。
【図面の簡単な説明】
【００３６】
【図１】オゾン水生成器の構造説明図。
【図２】他の例に係るオゾン水生成器の構造説明図。
【図３】他の例に係るオゾン水生成器の構造説明図。
【符号の説明】
【００３７】
１１…オゾン水生成器
２１…給水管
２２…止水栓
２３…導入管
２４…吐出管
３１…エジェクタ
３２…隘路
３３…吸気口
３４…接続部
４１…オゾン発生器
４２…紫外線ランプ
４４…カバー
４４ａ…通気孔
５１…接続管部
【図１】
0004913767.tif 000002
【図２】
0004913767.tif 000003
【図３】
0004913767.tif 000004